(57)【要約】【課題】コンクリートの壁面に凹設した仮枠の奥行きに拘わらずに壁面に対して箱体本体の開口面を一定に調整できるため箱体本体と仮枠との隙間にモルタルを埋める作業が容易になり、また、箱体本体と枠体との取付部の間隔が一定にできるので１種類の取付ネジで枠体を箱体本体に取り付けることができる電気機器収納用箱体の取り付け構造を提供する。【解決手段】電気機器収納用箱体１は、左右側面２ｂの上下に設けられて箱体本体２を奥行き方向に変位可能にする調整機構を備えた取付具７を介して壁面５に凹設された仮枠６に固定する。取付具７は箱体本体２の外周面に取り付けられる支持体８と、箱体本体２の奥行き方向を軸として支持体８に回転自在に支持されるアジャスタボルト９と、一端を仮枠６の奥面６ａに固定し、他端をアジャスタボルト９に螺合する固定体１０とで構成する。【選択図】図３
2005340307.tif 000002
【特許請求の範囲】
【請求項１】
前面を開口した箱体本体と、該箱体本体の前面開口周縁に取り付けられる枠体と、該枠体に開閉自在に取り付けられて前記箱体本体の開口を閉塞する扉体とから成る電気機器収納用箱体をコンクリートの壁面に埋設するために前記コンクリートの壁面に凹設した仮枠内に前記箱体本体を取り付ける構造において、前記箱体本体の外周面の適宜箇所に設けられて前記箱体本体を奥行き方向に変位可能にする調整機構を備えた取付具によって前記箱体本体を前記仮枠の奥面に取り付けることを特徴とする電気機器収納用箱体の取り付け構造。
【請求項２】
前記取付具は前記箱体本体の外周面に取り付けられる支持体と、前記箱体本体の奥行き方向を軸として前記支持体に回転自在に支持されるアジャスタボルトと、一端を前記仮枠の奥面に固定し、他端を前記アジャスタボルトに螺合する固定体とで構成したことを特徴とする請求項１に記載の電気機器収納用箱体の取り付け構造。
【発明の詳細な説明】
【技術分野】
【０００１】
本発明は、電気機器収納用箱体をコンクリートの壁面に埋込施工するための構造に関する。
【背景技術】
【０００２】
従来、コンクリートの壁面に電気機器収納用箱体を埋め込んで設置するには、例えば非特許文献１に記載される構造によって行われている。詳しくは図１１及び図１２に示すように電気機器収納用箱体２１は前面を開口した箱体本体２２と、箱体本体２２の前面開口２２ａの周縁に取り付けられる枠体２３と、枠体２３に開閉自在に取り付けられて箱体本体２２の開口２２ａを閉塞する扉体２４とから成り、コンクリート壁２５の形成時に電気機器収納用箱体２１の寸法より大きな仮枠２６を壁面２５に凹設し、この仮枠２６に箱体本体２２を嵌め、箱体本体２２の背板２２ｃの四隅に穿設した挿通孔２２ｄに前面から固定ネジ３１を挿通させて仮枠２６の奥面２６ａに螺着して取り付け、その後、箱体本体２２と仮枠２６の隙間にモルタル３２を埋め、それから箱体本体２２に枠体２３を取付ネジ３３で螺着し、枠体２３に扉体２４を蝶着して取り付け、枠体２３の周囲をコーキングしていた。
【０００３】
【非特許文献１】鹿野秀一、東尾悟著「電気と工事  ２００４年４月号付録  ビル電気設備施工の現場実務」、オーム社、２００４年４月１日、第４５巻第４号付録、ｐ．５１−５２、第６−４図
【発明の開示】
【発明が解決しようとする課題】
【０００４】
このため、従来の電気機器収納用箱体の取り付け構造では壁面に対して箱体本体の開口面を合わせるように調整することができず、壁面に対して箱体本体の開口面が突出する場合は見栄えが悪いし、壁面に対して箱体本体が入り過ぎた場合はモルタルを埋める作業時にモルタルが箱体本体内に入らないように箱体本体の開口周縁に枠を作る必要があるので作業が煩わしく、而も、枠体は外側の端部を壁面に当接させて取り付けられるので箱体本体との取付部に隙間が生じ、この隙間は現場によって異なるので複数種類の長さの異なる取付ネジを用意する必要があった。
【課題を解決するための手段】
【０００５】
本発明は、請求項１に記載の発明によれば、前面を開口した箱体本体と、箱体本体の前面開口周縁に取り付けられる枠体と、枠体に開閉自在に取り付けられて箱体本体の開口を閉塞する扉体とから成る電気機器収納用箱体をコンクリートの壁面に埋設するためにコンクリートの壁面に凹設した仮枠内に箱体本体を取り付ける構造において、箱体本体の外周面の適宜箇所に設けられて箱体本体を奥行き方向に変位可能にする調整機構を備えた取付具によって箱体本体を仮枠の奥面に取り付けることを特徴とする。
【０００６】
請求項２に記載の発明によれば、請求項１に記載の電気機器収納用箱体の取り付け構造において、取付具は箱体本体の外周面に取り付けられる支持体と、箱体本体の奥行き方向を軸として支持体に回転自在に支持されるアジャスタボルトと、一端を仮枠の奥面に固定し、他端をアジャスタボルトに螺合する固定体とで構成したことを特徴とする。
【発明の効果】
【０００７】
請求項１に記載の発明によれば、前面を開口した箱体本体と、箱体本体の前面開口周縁に取り付けられる枠体と、枠体に開閉自在に取り付けられて箱体本体の開口を閉塞する扉体とから成る電気機器収納用箱体をコンクリートの壁面に埋設するためにコンクリートの壁面に凹設した仮枠内に箱体本体を取り付ける構造において、箱体本体の外周面の適宜箇所に設けられて箱体本体を奥行き方向に変位可能にする調整機構を備えた取付具によって箱体本体を仮枠の奥面に取り付けることにより、仮枠の奥行きに拘わらずに壁面に対して箱体本体の開口面を一定に調整できるため箱体本体と仮枠との隙間にモルタルを埋める作業が容易になり、また、箱体本体と枠体との取付部の間隔が一定にできるので１種類の取付ネジで枠体を箱体本体に取り付けることができるという効果がある。
【０００８】
請求項２に記載の発明によれば、請求項１に記載の電気機器収納用箱体の取り付け構造において、取付具は箱体本体の外周面に取り付けられる支持体と、箱体本体の奥行き方向を軸として支持体に回転自在に支持されるアジャスタボルトと、一端を仮枠の奥面に固定し、他端をアジャスタボルトに螺合する固定体とで構成したことにより、簡単な構造で箱体本体を奥行き方向に変位可能にする調整機構を構成することができるという効果がある。
【発明を実施するための最良の形態】
【０００９】
電気機器収納用箱体は、左右側面の上下に設けられて箱体本体を奥行き方向に変位可能にする調整機構を備えた取付具を介して壁面に凹設された仮枠に固定する。取付具は箱体本体の外周面に取り付けられる支持体と、箱体本体の奥行き方向を軸として支持体に回転自在に支持されるアジャスタボルトと、一端を仮枠の奥面に固定し、他端をアジャスタボルトに螺合する固定体とで構成する。
【実施例１】
【００１０】
本発明に係る電気機器収納用箱体の取り付け構造の実施例を図１〜図９の添付図面に基づいて説明する。
【００１１】
電気機器収納用箱体１は前面を開口した箱体本体２と、箱体本体２の前面開口２ａの周縁に取り付けられる枠体３と、枠体３に開閉自在に取り付けられて箱体本体２の開口２ａを閉塞する扉体４とから成っている。
【００１２】
この電気機器収納用箱体１をコンクリートの壁面５に埋め込んで設置するには、まず、コンクリートの壁面５を形成する際に電気機器収納用箱体１の寸法より大きな仮枠６を凹設し、この仮枠６に箱体本体２を嵌めて取り付ける。
【００１３】
箱体本体２を仮枠６に固定するために箱体本体２の左右側面２ｂの上下には取付具７が設けられている。取付具７は箱体本体２を奥行き方向に変位可能にする調整機構を備え、支持体８とアジャスタボルト９と固定体１０で構成されている。
【００１４】
取付具７の支持体８は金属板材から成る基片８ａの両端を直角に折曲して１対の平行な支持片８ｂ，８ｃを形成した形状であり、支持片８ｂ，８ｃの略中央には軸孔８ｄ，８ｅが穿設され、支持片８ｂ，８ｃはこの２つの軸孔８ｄ，８ｅの中心を結ぶ線が箱体本体２の奥行き方向と一致するように基片８ａを箱体本体２に溶接して固定されている。
【００１５】
アジャスタボルト９は箱体本体２の開口面を正面として支持体８の前面側の支持片８ｂの軸孔か８ｄら挿入され、背面側の支持片８ｃの軸孔８ｅも挿通させて抜け落ちないように背面側でロックナット９ａが螺合されている。これによってアジャスタボルト９は箱体本体２の奥行き方向を軸として回転自在に支持体８に支持される。
【００１６】
固定体１０はアジャスタボルト９のねじ部９ｂに取り付けられる取付片１０ａと、仮枠６の奥面に当接する固定片１０ｂと、取付片１０ａと固定片１０ｂとを連結する連結片１０ｃとで略クランク状に形成されている。取付片１０ａの略中央には孔１０ｄが穿設され、この孔１０ｄにねじ孔１０ｅが一致するようにナット１０ｆが溶接されている。固定体１０は取付片１０ａが支持体８の支持片８ｂ，８ｃ間に位置するように取付片１０ａのナット１０ｆをアジャスタボルト９に螺合させて取り付けられている。また、固定片１０ｂには固定ネジ１１が挿通するためのネジ挿通孔１０ｇが穿設されている。尚、固定体１０の取付片１０ａに必ずしもナット１０ｆを設ける必要はなく、アジャスタボルト９に螺合すればよいのでタップ孔でも問題ない。
【００１７】
このように形成された取付具７によって箱体本体２を仮枠６の奥面６ａに固定する。固定するには固定体１０の固定片１０ｂを仮枠６の奥面６ａに当接させて、ネジ挿通孔１０ｇに固定ネジ１１を挿通させて螺着することにより行う。
【００１８】
こうして取り付けられた箱体本体２は前面から工具を用いてアジャストボルト９の頭部９ｃを回転させることにより箱体本体２が奥行き方向に変位させることができるので４つの取付具７を調整して箱体本体２の開口面を壁面５に合わせ、箱体本体２と仮枠６との隙間をモルタル１２で埋める。その後、箱体本体２に枠体３を取付ネジ１３で螺着し、枠体３に扉体４を蝶着して取り付け、枠体３の周囲をコーキングする。
【００１９】
尚、本実施例において取付具を箱体本体の左右側面に２個ずつ設けたが、上下側面に設けても良い。また、取付具の形状に限定はなく、例えば、図１０に示すように支持体８は２個のＬ形金具を間隔をおいて平行に設けたり、固定体１０は取付片１０ａの両端に連結片１０ｃと固定片１０ｂを対称に形成する等、取付具の形状及び取り付け箇所について本発明の趣旨を逸脱しない範囲で適宜に変更して実施することが可能である。
【図面の簡単な説明】
【００２０】
【図１】本発明に係る電気機器収納用箱体を示す分解斜視図である。
【図２】本発明に係る電気機器収納用箱体を仮枠に固定した状態の正面図である。
【図３】本発明に係る電気機器収納用箱体を仮枠に固定した状態の右側面図である。
【図４】本発明に係る取付具の正面図である。
【図５】本発明に係る取付具の右側面図である。
【図６】本発明に係る取付具の平面図である。
【図７】箱体本体に取付具が固定された状態の斜視図である。
【図８】図７の状態から箱体本体を前面側に位置変更した状態を示す斜視図である。
【図９】本発明に係る電気機器収納用箱体を埋込施工した状態の部分断面図である。
【図１０】本発明に係る取付具の変形実施例である。
【図１１】従来の電気機器収納用箱体を示す分解斜視図である。
【図１２】従来の電気機器収納用箱体を壁面に埋込施工した状態の部分断面図である。
【符号の説明】
【００２１】
１    電気機器収納用箱体
２    箱体本体
３    枠体
５    壁面
６    仮枠
７    取付具
８    支持体
９    アジャスタボルト
１０    固定体
１１    固定ネジ
１２    モルタル
１３    取付ネジ
【図１】
2005340307.tif 000003
【図２】
2005340307.tif 000004
【図３】
2005340307.tif 000005
【図４】
2005340307.tif 000006
【図５】
2005340307.tif 000007
【図６】
2005340307.tif 000008
【図７】
2005340307.tif 000009
【図８】
2005340307.tif 000010
【図９】
2005340307.tif 000011
【図１０】
2005340307.tif 000012
【図１１】
2005340307.tif 000013
【図１２】
2005340307.tif 000014